(57)【要約】【課題】処理負荷を大幅な増加を招くことなく、ゼロクロス情報を利用した制御を行う。【解決手段】交流電源１１からの電力がスイッチング電源１２および定着ヒータ装置１３に供給される。スイッチング電源１２内に設けられたＤＳＰ２７は、主電源スイッチがオンされた場合など予め決められたタイミングにおいて、交流電源１１の電圧波形を電源波形検出回路３０を介して取得する。そして、ＤＳＰ２７は取得した電圧波形に基づいてゼロクロスポイントなどのゼロクロスに関する情報を導出し、導出したゼロクロス情報を用いて定着ヒータ装置１３への電力供給のための制御を行う。【選択図】　　　図３
2004078154.tif 000002
【特許請求の範囲】
【請求項１】
予め決められたタイミングで交流電源の電圧波形を取得する波形取得手段と、
前記波形取得手段によって取得された電圧波形に基づいてゼロクロス情報を導出する導出手段と
を具備することを特徴とする情報導出装置。
【請求項２】
前記波形取得手段は、予め決められた区間における電圧波形を複数回取得する
ことを特徴とする請求項１に記載の情報導出装置。
【請求項３】
前記導出手段は、前記複数回取得された電圧波形の中から、予め決められた基準にしたがって１または複数の電圧波形を抽出し、抽出した電圧波形に基づいてゼロクロス情報を導出する
ことを特徴とする請求項２に記載の情報導出装置。
【請求項４】
前記導出手段は、前記複数回取得された電圧波形から得られる周波数がすべて一致するもしくは予め決められた個数以上の周波数が一致する場合にその一致した周波数が得られた電圧波形に基づいてゼロクロス情報を導出する
ことを特徴とする請求項３に記載の情報導出装置。
【請求項５】
前記導出手段は、前記複数回取得された電圧波形の中から、入力された条件に近い１または複数の電圧波形を抽出し、抽出した電圧波形に基づいてゼロクロス情報を導出する
ことを特徴とする請求項３に記載の情報導出装置。
【請求項６】
前記波形取得手段は、取得した電圧波形が予め決められた条件を満たさない場合には、前記交流電源の電圧波形を取得し、
前記導出手段は、前記予め決められた条件を満たす電圧波形に基づいてゼロクロス情報を導出する
ことを特徴とする請求項１に記載の情報導出装置。
【請求項７】
前記導出手段は、取得した電圧波形の中からノイズ部分を特定し、当該電圧波形の特定したノイズ部分を除いた部分に基づいてゼロクロス情報を導出する
ことを特徴とする請求項１に記載の情報導出装置。
【請求項８】
前記導出手段は、取得した電圧波形と予め保持されている複数の電圧波形データとを比較し、取得した電圧波形に最も近似する電圧波形データを選択し、選択した電圧波形データに基づいてゼロクロス情報を導出する
ことを特徴とする請求項１に記載の情報導出装置。
【請求項９】
前記導出手段によって導出に用いられた電圧波形に関する情報を記憶する前回情報記憶手段をさらに具備し、
前記導出手段は、前記予め決められたタイミングとなった場合に前記前回情報記憶手段に記憶されている電圧波形に関する情報と、前記波形取得手段によって取得された電圧波形とに基づいてゼロクロス情報を導出する
ことを特徴とする請求項１に記載の情報導出装置。
【請求項１０】
前記導出手段によって導出されたゼロクロス情報を利用して予め決められた制御を行う制御手段をさらに具備し、
前記予め決められたタイミングは、前記制御手段による前記ゼロクロス情報を利用した制御を行う前のタイミングである
ことを特徴とする請求項１に記載の情報導出装置。
【請求項１１】
負荷部と、
予め決められたタイミングで、前記負荷部に対して電力を供給する交流電源の電圧波形を取得する波形取得手段と、
前記波形取得手段によって取得された電圧波形に基づいてゼロクロス情報を導出する導出手段と、
前記導出手段によって導出されたゼロクロス情報を利用して前記交流電源から前記負荷部への電力供給制御を行う制御手段と
を具備することを特徴とする電気機器。
【請求項１２】
画像を記録媒体に転写する転写部と、
前記転写部によって転写された画像を加熱して定着する定着部と、
予め決められたタイミングで、前記定着部に対して電力を供給する交流電源の電圧波形を取得する波形取得手段と、
前記波形取得手段によって取得された電圧波形に基づいてゼロクロス情報を導出する導出手段と、
前記導出手段によって導出されたゼロクロス情報を利用して前記交流電源から前記定着部への電力供給制御を行う制御手段と
を具備することを特徴とする画像形成装置。
【請求項１３】
前記波形取得手段は、予め決められた区間における電圧波形を複数回取得する
ことを特徴とする請求項１２に記載の画像形成装置。
【請求項１４】
前記導出手段は、前記複数回取得された電圧波形の中から、予め決められた基準にしたがって１または複数の電圧波形を抽出し、抽出した電圧波形に基づいてゼロクロス情報を導出する
ことを特徴とする請求項１３に記載の画像形成装置。
【請求項１５】
前記導出手段は、前記複数回取得された電圧波形から得られる周波数がすべて一致するもしくは予め決められた個数以上の周波数が一致する場合にその一致した周波数が得られた電圧波形に基づいてゼロクロス情報を導出する
ことを特徴とする請求項１４に記載の画像形成装置。
【請求項１６】
前記導出手段は、前記複数回取得された電圧波形の中から、入力された条件に近い１または複数の電圧波形を抽出し、抽出した電圧波形に基づいてゼロクロス情報を導出する
ことを特徴とする請求項１４に記載の画像形成装置。
【請求項１７】
前記波形取得手段は、取得した電圧波形が予め決められた条件を満たさない場合には、前記交流電源の電圧波形を取得し、
前記導出手段は、前記予め決められた条件を満たす電圧波形に基づいてゼロクロス情報を導出する
ことを特徴とする請求項１２に記載の画像形成装置。
【請求項１８】
前記導出手段は、取得した電圧波形の中からノイズ部分を特定し、当該電圧波形の特定したノイズ部分を除いた部分に基づいてゼロクロス情報を導出する
ことを特徴とする請求項１２に記載の画像形成装置。
【請求項１９】
前記導出手段は、取得した電圧波形と予め保持されている複数の電圧波形データとを比較し、取得した電圧波形に最も近似する電圧波形データを選択し、選択した電圧波形データに基づいてゼロクロス情報を導出する
ことを特徴とする請求項１２に記載の画像形成装置。
【請求項２０】
前記導出手段によって導出に用いられた電圧波形に関する情報を記憶する前回情報記憶手段をさらに具備し、
前記導出手段は、前記予め決められたタイミングとなった場合に前記前回情報記憶手段に記憶されている電圧波形に関する情報と、前記波形取得手段によって取得された電圧波形とに基づいてゼロクロス情報を導出する
ことを特徴とする請求項１２に記載の画像形成装置。
【請求項２１】
前記予め決められたタイミングは、前記制御手段によるゼロクロス情報を利用して前記交流電源から前記定着部への電力供給制御を行う前のタイミングである
ことを特徴とする請求項１２に記載の画像形成装置。
【請求項２２】
画像を記録媒体に転写する転写部と、
交流電源からの電力供給を受け、前記転写部によって転写された画像を加熱して定着する定着部と、
前記交流電源からの交番電圧を整流して複数の直流電圧を生成する電源であって、予め決められたタイミングで前記交流電源の電圧波形を取得する波形取得手段と、前記波形取得手段によって取得された電圧波形に基づいてゼロクロス情報を導出する導出手段と、前記導出手段によって導出されたゼロクロス情報を利用して前記交流電源か前記定着部への電力供給制御を行う制御手段とを有するスイッチング電源と
を具備することを特徴とする画像形成装置。
【請求項２３】
前記制御手段は、前記導出手段によって導出されたゼロクロス情報を利用して前記定着部のへの電力供給のオン、オフを制御する
ことを特徴とする請求項２２に記載の画像形成装置。
【請求項２４】
前記制御手段は、前記導出手段によって導出されたゼロクロス情報を利用して前記定着部への電力供給を位相制御によりオン／オフする
ことを特徴とする請求項２２に記載の画像形成装置。
【請求項２５】
予め決められたタイミングで交流電源の電圧波形を取得する波形取得ステップと、
前記波形取得ステップによって取得された電圧波形に基づいてゼロクロス情報を導出する導出ステップと
を具備することを特徴とする情報導出方法。
【請求項２６】
コンピュータを、
予め決められたタイミングで交流電源の電圧波形を取得する波形取得手段、
前記波形取得手段によって取得された電圧波形に基づいてゼロクロス情報を導出する導出手段として機能させることを特徴とするプログラム。
【発明の詳細な説明】
【０００１】
【発明の属する技術分野】
この発明は、交流電源からの電力供給を受ける複写機、プリンタ、ファクシミリ装置などの画像形成装置や電気機器、これらに搭載等される情報導出装置、情報導出方法およびプログラムに関する。
【０００２】
【従来の技術】
ゼロクロス信号は、交流電圧波形の半波切換わりタイミングを示すものであり、位相制御などに用いられている。交流電源からの電力供給を受ける電気機器、例えば画像形成装置においては、ゼロクロス信号が定着ヒータのオン／オフ制御を行うために用いられている。従来、このような制御などに用いられるゼロクロス信号の生成方法としては、以下のようなものが知られている。
▲１▼整流回路とフォトカプラの組み合わせのゼロクロス信号検出回路によりゼロクロス信号を生成する。
▲２▼トランスとフォトカプラの組み合わせのゼロクロス信号検出回路によりゼロクロス信号を生成する。
【０００３】
画像形成装置では、以上のように生成されるゼロクロス信号がＣＰＵなどの制御部に送られ、制御部はゼロクロス信号が入力すると、割り込みを発生させるようになっている。そして、割り込み処理において電源周波数の半周期毎の定着ヒータオン／オフの制御を行う。
【０００４】
具体的には、例えばゼロクロス信号が入力された時点で、まず定着ヒータのオン／オフ素子であるトライアックをオフする信号、すなわち定着ヒータのオフ信号を生成する。さらにタイマをスタートさせ、ゼロクロス信号の入力時から数ｍｓ後にタイマ割り込みが発生するようにする。そして、数ｍｓ後にタイマ割り込みが発生すると、タイマ割り込み内にて前記トライアックをオンする信号、すなわち定着ヒータをオンする信号を生成する。
【０００５】
画像形成装置では、このようにしてゼロクロス信号を利用して割り込みを発生させ、トライアックをオン／オフすることで、定着ヒータのオン／オフ制御を行っている。
【０００６】
以上のように画像形成装置における定着ヒータの位相制御を行うためには、ゼロクロス信号が検出できていなければならない。したがって、画像形成装置の電源がオンされた直後のイニシャライズ処理においてゼロクロス信号が検出されているか否かが判断される。
【０００７】
具体的にはゼロクロスの検出処理では、前記制御部がゼロクロス割り込みを発生すればゼロクロス信号が生成されていると判断する。一方、ゼロクロス割り込みの発生がなければゼロクロス信号が生成されていないと判断し、その場合は、画像形成装置はゼロクロス信号の発生なしをその操作部に表示する。さらに１秒間の割り込みタイマーをスタートさせ、次のタイマがカウントアップするまでに何回のゼロクロス割り込みをカウントしたかによって、電源周波数が５０Ｈｚか、６０Ｈｚかを判定している。例えば、ゼロクロス割り込みを４５回〜５４回カウントした場合には５０Ｈｚと判定し、５５回〜６４回カウントした場合は６０Ｈｚと判定する。一方、０回〜４４回、あるいは６５回以上をカウントした場合には、画像形成装置はゼロクロス検出異常をその操作部に表示する。
【０００８】
以上のように画像形成装置などの電気機器では、ゼロクロス信号を利用した制御が行われている。したがって、上記のようなゼロクロス信号の誤検出があった場合にはその機能に支障をきたすこととなってしまい、誤検出を防止する必要がある。しかしながら、上記▲１▼、▲２▼のように交流電源の電圧波形を常時モニタリングしてゼロクロス信号を生成する場合においては何らかの理由で電源電圧波形が乱れた場合にゼロクロス信号が誤検出されてしまうことがある。
【０００９】
例えば図１４の下側に示すように交流電源電圧が変動した場合、電源電圧がノイズなどに起因して乱れた時点でゼロクロスが検出されてしまい、その結果図１４の上側に示すようなゼロクロス信号が生成されてしまうことになる。
【００１０】
自家用発電の電源を使った環境や、数多くの大電力機器が使用された環境において、画像形成装置を使用する場合、上記のようにノイズが電源に乗り、ゼロクロスの誤検出がなされてしまうことがあった。その場合、上記のように電源周波数の検出が正常に行えず、異常メッセージが表示されるため、画像形成装置が使えなくなるという問題があった。
【００１１】
このようにノイズの多い環境で画像形成装置を使用する場合、電源周波数を検出する処理は行わず、ユーザに画像形成装置に使われる電源周波数を聞き、その電源周波数を固定に設定したＲＯＭを画像形成装置に取り付けるといった技術が提案されている。
【００１２】
また、このようなノイズに起因するゼロクロスの誤検出を低減する方法として、電源電圧値が所定の範囲内（０を中心とした範囲）にある時間が設定値以上であるか否かという条件と、当該範囲内に入る前と当該範囲を出た後の電源電圧の極性が反転したかという条件とを満たすか否かによってゼロクロスタイミングか否かを判別する技術が提案されている（例えば、特許文献１参照）。
【００１３】
また、交流電源から供給される電圧波形に基づいて、その波形の半波の始点と終点とのタイミングを検出してゼロクロスパルスを生成する技術も提案されている（例えば、特許文献２参照）。
【００１４】
【特許文献１】
特開平８−３０８２１５号公報
【特許文献２】
特開２００２−２６８４５０号公報
【００１５】
【発明が解決しようとする課題】
しかしながら、上記の電源周波数情報をＲＯＭに記憶させる技術では、かかるＲＯＭに記憶された情報が正しいとは限らず、また環境によっては電源周波数が変動するおそれもある。かかる場合には、正確にゼロクロスポイントを特定できなくなってしまう。
【００１６】
また、得られた電圧値が所定の条件を満たすか否かを判別する技術や（特許文献１参照）、半波の始点、終点タイミングを検出する技術では（特許文献２参照）、ノイズによる影響を排除することはできるが、常時電圧波形をモニタリングしておく必要があり、処理負荷が大きくなってしまうという問題がある。
【００１７】
この発明は上記に鑑みてなされたもので、処理負荷を大幅な増加を招くことなく、ゼロクロス情報を利用した制御を行うことができる情報導出装置、電気機器、画像形成装置、情報導出方法およびプログラムを得ることを目的とする。
【００１８】
【課題を解決するための手段】
上記目的を達成するため、請求項１にかかる発明は、予め決められたタイミングで交流電源の電圧波形を取得する波形取得手段と、前記波形取得手段によって取得された電圧波形に基づいてゼロクロス情報を導出する導出手段とを具備することを特徴とする情報導出装置である。
【００１９】
請求項１に係る発明によれば、予め決められたタイミングで交流電源の電圧波形を取得し、かかる電圧波形に基づいて導出したゼロクロス情報を利用してその後の制御を行っているので、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できる。
【００２０】
また、請求項２にかかる発明は、請求項１に係る発明の構成において、前記波形取得手段は、予め決められた区間における電圧波形を複数回取得することを特徴とする。
【００２１】
請求項２にかかる発明によれば、電圧波形が複数回取得されるので、これらの取得された電圧波形を利用してゼロクロス情報を導出することができる。したがって、取得した電圧波形の中にノイズが多く含まれるものがあった場合にも、そのノイズに起因して誤ったゼロクロス情報が導出されてしまうことを低減することができる。
【００２２】
また、請求項３にかかる発明は、請求項２にかかる発明の構成において、前記導出手段は、前記複数回取得された電圧波形の中から、予め決められた基準にしたがって１または複数の電圧波形を抽出し、抽出した電圧波形に基づいてゼロクロス情報を導出することを特徴とする。
【００２３】
請求項３にかかる発明によれば、電圧波形が複数回取得され、その中から予め決められた基準にしたがって抽出した電圧波形に基づいてゼロクロス情報を導出することができる。したがって、取得した電圧波形の中にノイズが多く含まれるものがあった場合にも、その電圧波形が抽出されてしまうことを抑制でき、そのノイズに起因して誤ったゼロクロス情報が導出されてしまうことを低減することができる。
【００２４】
また、請求項４にかかる発明は、請求項３にかかる発明の構成において、前記導出手段は、前記複数回取得された電圧波形から得られる周波数がすべて一致するもしくは予め決められた個数以上の周波数が一致する場合にその一致した周波数が得られた電圧波形に基づいてゼロクロス情報を導出することを特徴とする。
【００２５】
請求項４にかかる発明によれば、電圧波形が複数回取得され、その中の電圧波形の周波数がすべて一致する場合、または予め決められた個数以上の周波数が一致する場合に一致した周波数の電圧波形が抽出されてゼロクロス情報の導出に用いられる。したがって、取得した電圧波形の中にノイズが多く含まれるものがあった場合にも、そのノイズを含む電圧波形が抽出されることを抑制することができ、誤ったゼロクロス情報が導出されてしまうことを低減することができる。
【００２６】
また、請求項５にかかる発明は、請求項３にかかる発明の構成において、前記導出手段は、前記複数回取得された電圧波形の中から、入力された条件に近い１または複数の電圧波形を抽出し、抽出した電圧波形に基づいてゼロクロス情報を導出することを特徴とする。
【００２７】
請求項５にかかる発明によれば、電圧波形が複数取得され、その中から入力された条件に近い１または複数の電圧波形が抽出されてゼロクロス情報の導出に用いられる。したがって、商用電源周波数が分かっている場合などにはその情報を条件として入力することで、かかる入力条件と全く異なる電圧波形、つまりノイズが含まれている可能性が高い電圧波形などがゼロクロス情報導出のために用いられることを低減することができ、誤ったゼロクロス情報が導出されることを低減できる。
【００２８】
また、請求項６にかかる発明は、請求項１にかかる発明の構成において、前記波形取得手段は、取得した電圧波形が予め決められた条件を満たさない場合には、前記交流電源の電圧波形を取得し、前記導出手段は、前記予め決められた条件を満たす電圧波形に基づいてゼロクロス情報を導出することを特徴とする。
【００２９】
請求項６にかかる発明によれば、取得した電圧波形が予め決められた条件を満たさない場合には、再度電圧波形が取得され、条件を満たす電圧波形が得られた場合に当該電圧波形に基づいてゼロクロス情報が導出される。したがって、ゼロクロス情報の導出に適さないノイズが多く含まれているものを条件を満たさないものとすれば、このような電圧波形に基づいてゼロクロス情報が導出されることを低減することができ、誤ったゼロクロス情報が導出されてしまうことを低減できる。
【００３０】
また、請求項７にかかる発明は、請求項１にかかる発明の構成において、前記導出手段は、取得した電圧波形の中からノイズ部分を特定し、当該電圧波形の特定したノイズ部分を除いた部分に基づいてゼロクロス情報を導出することを特徴とする。
【００３１】
請求項７にかかる発明によれば、取得した電圧波形の中に含まれるノイズ部分が特定され、特定されたノイズ部分が除かれた電圧波形に基づいてゼロクロス情報が導出される。したがって、取得した電圧波形の中にノイズが含まれている場合であっても、そのノイズに起因して誤ったゼロクロス情報が導出されてしまうことを低減することができる。
【００３２】
また、請求項８にかかる発明は、請求項１にかかる発明の構成において、前記導出手段は、取得した電圧波形と予め保持されている複数の電圧波形データとを比較し、取得した電圧波形に最も近似する電圧波形データを選択し、選択した電圧波形データに基づいてゼロクロス情報を導出することを特徴とする。
【００３３】
請求項８にかかる発明によれば、予め保持されている複数の電圧波形データの中から、取得した電圧波形に最も近似する電圧波形データが選択され、かかる電圧波形データに基づいてゼロクロス情報が導出される。したがって、取得した電圧波形の中にノイズが含まれている場合であっても、そのノイズに起因して誤ったゼロクロス情報が導出されてしまうことを低減することができる。
【００３４】
また、請求項９にかかる発明は、請求項１にかかる発明の構成において、前記導出手段によって導出に用いられた電圧波形に関する情報を記憶する前回情報記憶手段をさらに具備し、前記導出手段は、前記予め決められたタイミングとなった場合に前記前回情報記憶手段に記憶されている電圧波形に関する情報と、前記波形取得手段によって取得された電圧波形とに基づいてゼロクロス情報を導出することを特徴とする。
【００３５】
請求項９にかかる発明によれば、ゼロクロス情報の導出の際に用いられた電圧波形に関する情報が前回情報記憶手段に記憶され、次回のゼロクロス情報導出の際に新たに取得した電圧波形とともに用いられる。このように前回のゼロクロス情報導出に用いた電圧波形に関する情報を利用することで、誤ったゼロクロス情報が導出されてしまうことを低減できる。
【００３６】
また、請求項１０にかかる発明は、請求項１にかかる発明の構成において、前記導出手段によって導出されたゼロクロス情報を利用して予め決められた制御を行う制御手段をさらに具備し、前記予め決められたタイミングは、前記制御手段による前記ゼロクロス情報を利用した制御を行う前のタイミングであることを特徴とする。
【００３７】
請求項１０にかかる発明によれば、ゼロクロス情報を利用した制御を行う前にゼロクス情報が導出され、導出したゼロクロス情報を利用した制御がなされる。したがって、ゼロクロス情報を利用した制御が行われていない間は、以前に導出したゼロクロス情報を次のゼロクロス情報を利用した制御で用いるためにタイマカウント等を行う必要がなくなり、構成や処理を簡易化することができる。
【００３８】
また、請求項１１にかかる発明は、負荷部と、予め決められたタイミングで、前記負荷部に対して電力を供給する交流電源の電圧波形を取得する波形取得手段と、前記波形取得手段によって取得された電圧波形に基づいてゼロクロス情報を導出する導出手段と、前記導出手段によって導出されたゼロクロス情報を利用して前記交流電源から前記負荷部への電力供給制御を行う制御手段とを具備することを特徴とする電気機器である。
【００３９】
請求項１１にかかる発明によれば、予め決められたタイミングで交流電源の電圧波形を取得し、かかる電圧波形に基づいて導出したゼロクロス情報を利用してその後の制御を行っているので、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できる。
【００４０】
また、請求項１２にかかる発明は、画像を記録媒体に転写する転写部と、前記転写部によって転写された画像を加熱して定着する定着部と、予め決められたタイミングで、前記定着部に対して電力を供給する交流電源の電圧波形を取得する波形取得手段と、前記波形取得手段によって取得された電圧波形に基づいてゼロクロス情報を導出する導出手段と、前記導出手段によって導出されたゼロクロス情報を利用して前記交流電源から前記定着部への電力供給制御を行う制御手段とを具備することを特徴とする画像形成装置である。
【００４１】
請求項１２にかかる発明によれば、予め決められたタイミングで交流電源の電圧波形を取得し、かかる電圧波形に基づいて導出したゼロクロス情報を利用してその後の制御を行っているので、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できる。
【００４２】
また、請求項１３にかかる発明は、請求項１２にかかる発明の構成において、前記波形取得手段は、予め決められた区間における電圧波形を複数回取得することを特徴とする。
【００４３】
請求項１３にかかる発明によれば、電圧波形が複数回取得されるので、これらの取得された電圧波形を利用してゼロクロス情報を導出することができる。したがって、取得した電圧波形の中にノイズが多く含まれるものがあった場合にも、そのノイズに起因して誤ったゼロクロス情報が導出されてしまうことを低減することができる。
【００４４】
また、請求項１４にかかる発明は、請求項１３にかかる発明の構成において、前記導出手段は、前記複数回取得された電圧波形の中から、予め決められた基準にしたがって１または複数の電圧波形を抽出し、抽出した電圧波形に基づいてゼロクロス情報を導出することを特徴とする。
【００４５】
請求項１４にかかる発明によれば、電圧波形が複数回取得され、その中から予め決められた基準にしたがって抽出した電圧波形に基づいてゼロクロス情報を導出することができる。したがって、取得した電圧波形の中にノイズが多く含まれるものがあった場合にも、その電圧波形が抽出されることを抑制でき、そのノイズに起因して誤ったゼロクロス情報が導出されてしまうことを低減することができる。
【００４６】
また、請求項１５にかかる発明は、請求項１４にかかる発明の構成において、前記導出手段は、前記複数回取得された電圧波形から得られる周波数がすべて一致するもしくは予め決められた個数以上の周波数が一致する場合にその一致した周波数が得られた電圧波形に基づいてゼロクロス情報を導出することを特徴とする。
【００４７】
請求項１５にかかる発明によれば、電圧波形が複数回取得され、その中の電圧波形の周波数がすべて一致する場合、または予め決められた個数以上の周波数が一致する場合に一致した周波数の電圧波形が抽出されてゼロクロス情報の導出に用いられる。したがって、取得した電圧波形の中にノイズが多く含まれるものがあった場合にも、そのノイズを含む電圧波形が抽出されることを抑制することができ、誤ったゼロクロス情報が導出されてしまうことを低減することができる。
【００４８】
また、請求項１６にかかる発明は、請求項１４にかかる発明の構成において、前記導出手段は、前記複数回取得された電圧波形の中から、入力された条件に近い１または複数の電圧波形を抽出し、抽出した電圧波形に基づいてゼロクロス情報を導出することを特徴とする。
【００４９】
請求項１６にかかる発明によれば、電圧波形が複数取得され、その中から入力された条件に近い１または複数の電圧波形が抽出されてゼロクロス情報の導出に用いられる。したがって、当該画像形成装置に電力を供給する商用電源の周波数が分かっている場合などにはその情報を条件として入力することで、かかる入力条件と全く異なる電圧波形、つまりノイズが含まれている可能性が高い電圧波形などがゼロクロス情報導出のために用いられることを低減することができ、誤ったゼロクロス情報が導出されることを低減できる。
【００５０】
また、請求項１７にかかる発明は、請求項１２にかかる発明の構成において、前記波形取得手段は、取得した電圧波形が予め決められた条件を満たさない場合には、前記交流電源の電圧波形を取得し、前記導出手段は、前記予め決められた条件を満たす電圧波形に基づいてゼロクロス情報を導出することを特徴とする。
【００５１】
請求項１７にかかる発明によれば、取得した電圧波形が予め決められた条件を満たさない場合には、再度電圧波形が取得され、条件を満たす電圧波形が得られた場合に当該電圧波形に基づいてゼロクロス情報が導出される。したがって、ゼロクロス情報の導出に適さないノイズが多く含まれているものを条件を満たさないものとすれば、このような電圧波形に基づいてゼロクロス情報が導出されることを低減することができ、誤ったゼロクロス情報が導出されてしまうことを低減できる。
【００５２】
また、請求項１８にかかる発明は、請求項１２にかかる発明の構成において、前記導出手段は、取得した電圧波形の中からノイズ部分を特定し、当該電圧波形の特定したノイズ部分を除いた部分に基づいてゼロクロス情報を導出することを特徴とする。
【００５３】
請求項１８にかかる発明によれば、取得した電圧波形の中に含まれるノイズ部分が特定され、特定されたノイズ部分が除かれた電圧波形に基づいてゼロクロス情報が導出される。したがって、取得した電圧波形の中にノイズが含まれている場合であっても、そのノイズに起因して誤ったゼロクロス情報が導出されてしまうことを低減することができる。
【００５４】
また、請求項１９にかかる発明は、請求項１２にかかる発明の構成において、前記導出手段は、取得した電圧波形と予め保持されている複数の電圧波形データとを比較し、取得した電圧波形に最も近似する電圧波形データを選択し、選択した電圧波形データに基づいてゼロクロス情報を導出することを特徴とする。
【００５５】
請求項１９にかかる発明によれば、予め保持されている複数の電圧波形データの中から、取得した電圧波形に最も近似する電圧波形データが選択され、かかる電圧波形データに基づいてゼロクロス情報が導出される。したがって、取得した電圧波形の中にノイズが含まれている場合であっても、そのノイズに起因して誤ったゼロクロス情報が導出されてしまうことを低減することができる。
【００５６】
また、請求項２０にかかる発明は、請求項１２にかかる発明の構成において、前記導出手段によって導出に用いられた電圧波形に関する情報を記憶する前回情報記憶手段をさらに具備し、前記導出手段は、前記予め決められたタイミングとなった場合に前記前回情報記憶手段に記憶されている電圧波形に関する情報と、前記波形取得手段によって取得された電圧波形とに基づいてゼロクロス情報を導出することを特徴とする。
【００５７】
請求項２０にかかる発明によれば、ゼロクロス情報の導出の際に用いられた電圧波形に関する情報が前回情報記憶手段に記憶され、次回のゼロクロス情報導出の際に新たに取得した電圧波形とともに用いられる。このように前回のゼロクロス情報導出に用いた電圧波形に関する情報を利用することで、誤ったゼロクロス情報が導出されてしまうことを低減できる。
【００５８】
また、請求項２１にかかる発明は、請求項１２にかかる発明の構成において、前記予め決められたタイミングは、前記制御手段によるゼロクロス情報を利用して前記交流電源から前記定着部への電力供給制御を行う前のタイミングであることを特徴とする。
【００５９】
請求項２１にかかる発明によれば、ゼロクロス情報を利用した制御を行う前にゼロクス情報が導出され、導出したゼロクロス情報を利用した制御がなされる。したがって、ゼロクロス情報を利用した制御が行われていない間は、以前に導出したゼロクロス情報を次のゼロクロス情報を利用した制御で用いるためにタイマカウント等を行う必要がなくなり、構成や処理を簡易化することができる。
【００６０】
また、請求項２２にかかる発明は、画像を記録媒体に転写する転写部と、交流電源からの電力供給を受け、前記転写部によって転写された画像を加熱して定着する定着部と、前記交流電源からの交番電圧を整流して複数の直流電圧を生成する電源であって、予め決められたタイミングで前記交流電源の電圧波形を取得する波形取得手段と、前記波形取得手段によって取得された電圧波形に基づいてゼロクロス情報を導出する導出手段と、前記導出手段によって導出されたゼロクロス情報を利用して前記交流電源か前記定着部への電力供給制御を行う制御手段とを有するスイッチング電源とを具備することを特徴とする画像形成装置である。
【００６１】
請求項２２にかかる発明によれば、予め決められたタイミングで交流電源の電圧波形を取得し、かかる電圧波形に基づいて導出したゼロクロス情報を利用してその後の制御を行っているので、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できる。
【００６２】
また、請求項２３にかかる発明は、請求項２２にかかる発明の構成において、前記制御手段は、前記導出手段によって導出されたゼロクロス情報を利用して前記定着部のへの電力供給のオン、オフを制御することを特徴とする。
【００６３】
請求項２３にかかる発明によれば、上記のように導出したゼロクロス情報を利用して定着部への電力供給のオン／オフ制御を行っているので、より確実かつ細やかな制御が可能となる。
【００６４】
また、請求項２４にかかる発明は、請求項２２にかかる発明の構成において、前記制御手段は、前記導出手段によって導出されたゼロクロス情報を利用して前記定着部への電力供給を位相制御によりオン／オフすることを特徴とする。
【００６５】
請求項２４にかかる発明によれば、上記のように導出したゼロクロス情報を利用して定着部への電力供給を位相制御によりオン／オフしているので、より確実かつ細やかな制御が可能となる。
【００６６】
また、請求項２５にかかる発明は、予め決められたタイミングで交流電源の電圧波形を取得する波形取得ステップと、前記波形取得ステップによって取得された電圧波形に基づいてゼロクロス情報を導出する導出ステップとを具備することを特徴とする情報導出方法である。
【００６７】
請求項２５にかかる発明によれば、予め決められたタイミングで交流電源の電圧波形を取得し、かかる電圧波形に基づいて導出したゼロクロス情報を利用してその後の制御を行っているので、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できる。
【００６８】
また、請求項２６にかかる発明は、コンピュータを、予め決められたタイミングで交流電源の電圧波形を取得する波形取得手段、前記波形取得手段によって取得された電圧波形に基づいてゼロクロス情報を導出する導出手段として機能させることを特徴とするプログラムである。
【００６９】
請求項２６にかかる発明によれば、コンピュータを請求項１にかかる発明と同様の構成を有する装置として機能させることができる。
【００７０】
【発明の実施の形態】
以下に添付図面を参照して、この発明にかかる情報導出装置、電気機器、画像形成装置、情報導出方法およびプログラムの好適な実施の形態を詳細に説明する。
【００７１】
Ａ．実施形態
図１は、本発明の一実施形態にかかる画像形成装置の外観を示す図である。同図に示すように、この画像形成装置は、複写動作を行う本体部１０と、大量の用紙等を収容し、これを本体部１０に供給する大容量給紙部１０ａと、複写がなされた用紙等に対してソート、穴あけ、綴じ込みなどを施すフィニッシャー９を備えている。
【００７２】
本体部１０は、その上部に開閉自在に設けられる自動原稿供給装置２を有しており、かかる自動原稿供給装置２にセットされた原稿は、当該自動原稿供給装置２によってスキャナー部によるスキャン位置を通過するようコンタクトガラス１上を搬送される。また、本体部１０の上部に設けられたコンタクトガラス１上に原稿を載置することで当該原稿を読み取ることができるようになっている。
【００７３】
また、本体部１０の上部にはユーザに対して種々の情報を表示する表示パネル、ユーザが種々の指示等を入力するためのボタンなどのインターフェースが配置される操作部３が設けられている。また、本体部１０の上部には当該画像形成装置の主電源をオン／オフするための主電源スイッチ７が設けられており、ユーザはかかる主電源スイッチ７をオンにすることで当該画像形成装置を起動することができ、また主電源スイッチ７をオフとすることで当該画像形成装置への商用電源からの電力供給をオフしてその動作を停止させることができる。
【００７４】
また、本体部１０の上部には電源サブキー４が設けられており、かかる電源サブキー４を操作することで当該画像形成装置を省エネルギーモードに移行させることができるようになっており、省エネルギーモードにある場合に電源サブキー４を操作することで通常のモードに戻すことができるようになっている。
【００７５】
また、本体部１０の前面側には、前カバー５やトナーカバー８が開閉自在に設けられており、メンテナンスや部品交換等を行う場合にはこれらのカバー５、８を開放状態とすることができるようになっている。また、本体部１０には給紙トレイ６が設けられており、当該画像形成装置では給紙トレイ６に収容されている用紙やＯＨＰシートなどの記録媒体に対して画像形成が行われる。
【００７６】
図２に示すように、本体部１０は、スキャナー部１０１と、書き込み部１０２と、感光体ユニット１０３と、帯電部１０４と、現像部１０５と、転写部１０６と、給紙部１１５と、定着部１１１とを備える。
【００７７】
スキャナー部１０１は、本体部１０の上方側に配置されており、その上方に設置されたコンタクトガラス１上に載置された原稿に対して光を照射し、その反射光を光電変換して原稿画像を読み取る。また、上記自動原稿供給装置２によってコンタクトガラス１上を通過させられる原稿画像の読み取りも行う。
【００７８】
書き込み部１０２は、スキャナー部１０１によって読み取られた原稿画像に対応したレーザ光を照射して感光体ユニット１０３の各感光体ドラム上に投影させる。
【００７９】
本実施形態における画像形成装置は、電子写真方式によりカラー画像形成が可能な装置であり、Ｃ（シアン）、Ｍ（マゼンダ）、Ｙ（イエロー）、Ｂｋ（ブラック）といった４つの色に対応した感光体ドラム１０３を有している。帯電部１０４は、各色の感光体ドラムの周囲にそれぞれ配置されており、感光体ドラムを帯電する。現像部１０５は、書き込み部１０２によって潜像が形成された感光体ドラム上にトナーを付着させてトナー画像を形成する。なお、図面が煩雑となるのを防止するため、符号は１つの色に対応した感光体ドラム等にのみ付している。
【００８０】
転写部１０６は、各色に対応した感光体ドラム１０３の配列方向である図の左右方向に沿って用紙を搬送する転写ベルトを有しており、かかる転写ベルトによって用紙が書く感光体ドラムによる転写位置に到る。これにより各感光体ドラムの転写位置においてその色の画像が用紙に転写される。
【００８１】
給紙部１１５は、複数の給紙トレイ６を有しており、複写時には所定のサイズの用紙を給紙トレイから繰り出して転写部１０６に給送する。そして、給送された用紙が上記のように転写部１０６によって転写位置に搬送され、当該用紙に画像の転写がなされる。
【００８２】
定着部１１１は、上記のように画像が転写された用紙等の記録媒体を加熱・加圧して転写されたトナーを用紙に定着させるユニットであり、定着ローラ１１２および加圧ローラ１１３を有している。円筒状の定着ローラ１１２の中空部には、定着ヒータ装置が配置されており、これらの定着ヒータ装置に対して電力を供給することで定着ヒータ装置を発熱させる。これにより定着ローラ１１２の表面温度を上昇させている。なお、定着ヒータ装置は定着ローラ１１２の中空部に配置するようにしてもよいが、定着部１１１が動作できるよう加熱できる位置であれば他の位置に配置してもよく、例えば加圧ローラ１１３の中空部に配置するようにしてもよい。
【００８３】
このように表面温度が一定温度以上に上昇させられたた定着ローラ１１２と加圧ローラ１１３との間をトナー画像が転写された用紙が通過させられることで、当該用紙上に画像が定着されるようになっている。
【００８４】
次に、上記定着ローラ１１２内に配置される定着ヒータに電力を供給する電源ための構成について図３を参照しながら説明する。同図に示すように、当該画像形成装置では、交流電源１１からの電力がスイッチング電源１２と、定着ヒータ装置１３とに供給されている。なお、定着ヒータ装置１３は上述した定着部１１１の定着ローラ１１２内などに配置されている。
【００８５】
スイッチング電源１２は、フィルタ２１と、交流電圧を整流平滑する整流平滑回路２２と、直流電圧の生成を行う各直流電圧生成部２３〜２６と、各直流電圧生成部２３〜２６の電圧生成を制御するＤＳＰ（Ｄｉｇｉｔａｌ　Ｓｉｇｎａｌ　Ｐｒｏｃｅｓｓｏｒ）２７と、主電源スイッチがオンとされて交流電源１１からの電力がスイッチング電源１２に印加された場合にオンとなるスイッチ（ＳＷ）２８と、スイッチ２８がオンとされた場合にＤＳＰ２７に必要な電源電圧を供給するバッテリー２９と、交流電源波形を検出する電源波形検出回路３０とを備えている。
【００８６】
また、ＤＳＰ２７は直流電圧生成を制御するとともに、定着ヒータ装置１３への電力供給を制御する制御手段としての機能を有している。より具体的には、ＤＳＰ２７には、定着ヒータ装置１３の周囲の温度を計測するサーミスタからの検出結果が供給されるようになっており、かかるサーミスタの検出結果が所定値に達するよう、つまり定着部１１１が正常に動作可能な温度に達するよう定着ヒータ装置１３のオン／オフを制御するための信号を生成し定着ヒータ装置１３へ出力する。
【００８７】
なお、ＤＳＰ２７による定着ヒータ装置１３のオン／オフ制御、つまり定着ヒータ装置１３への電力供給のオン／オフ制御についての詳細は後述する。また、本実施形態では、制御手段としてＤＳＰ２７を用いているが、同様の機能を実現できればよく、これに限定されるものではない。
【００８８】
次に、図４は本実施形態における画像形成装置のスイッチング電源１２と定着ヒータ装置１３とのの関係を示す回路図である。同図に示すように、定着ヒータ装置１３は、ヒータ部３１と、制御部３３とを有している。本実施形態においては、ヒータ部３１は３つのヒータ３２と、定着ヒータ装置温度を検出するサーミスタとを有している。かかるサーミスタの検出結果がＤＳＰ２７に出力される。なお、同図において、具体的な定着部１１１内部の定着ローラや加圧ローラあるいは加圧機構、オイル塗布機構などは図示及び説明を省略する。
【００８９】
制御部３３は、各ヒータ３２のオン／オフ回路であるトライアック３４およびフォトカプラ３５を有している。かかる構成の下、スイッチング電源１２のＤＳＰ２７がフォトカプラ３５をオンすると、該当のトライアック３４がオンとなり、ヒータ３２への電力供給がオンされる。
【００９０】
次に、本実施形態の動作について説明する。画像形成装置の主電源スイッチ７がオンされると、スイッチング電源１２に交流電源１１からの電力が入力される。交流電源１１からの交流電力はフィルタ２１を通り、整流平滑回路２２にて全波整流され、これによりスイッチ２８がオンとなる。このようにスイッチ２８がオンとなるとバッテリー２９に蓄積されている電力がＤＳＰ２７に供給され、これによりＤＳＰ２７が起動される。
【００９１】
このように起動されたＤＳＰ２７は、まず５Ｖ生成部２６をＰＷＭ制御により制御し５Ｖ電圧を生成する。５Ｖ生成部２６により生成された５Ｖ電圧はバッテリー２９に還流され、これによりＤＳＰ２７の駆動用電圧が補充される。また、５Ｖ電圧はスイッチング電源１２外にも出力され、当該画像形成装置の各部に供給される。これにより画像形成装置内部の各ＣＰＵが起動される。その他の直流電圧（１２Ｖ、２４Ｖ、３８Ｖ）の生成部２３〜２５に対しても順次ＰＷＭ制御を行い、これにより１２Ｖ、２４Ｖ、３８Ｖの直流電圧が生成され、画像形成装置の各負荷部へ供給される。
【００９２】
また、主電源スイッチ７がオンにされると、交流電源１１からの電力がフィルタ２１を介して電源波形検出回路３０に交流電力が供給される。電源波形検出回路３０では、交流電源１１からの交流が全波整流されるとともに、かつトランスを介してＤＳＰ２７のＡＤ入力部に入力される。本実施形態では、電源波形検出回路３０は入力電圧を３／１００にする、つまり１４４Ｖがちょうど４．３２Ｖになるよう調整してＤＳＰ２７のＡＤ入力部に出力している。
【００９３】
次に、図５を参照しながらＤＳＰ２７による定着ヒータ装置１３への電力供給のオン／オフ制御について説明する。上述したように主電源スイッチ７がオンにされてＤＳＰ２７が起動されると、まず所定時間ごと、ここでは１００μｓｅｃタイマ割り込みを開始する（ステップＳ１）。そして、タイマ割り込みが発生したか否かを判別し（ステップＳ２）、タイマ割り込みが発生した場合には上述したように電源波形検出回路３０から供給される電圧についてＡＤ変換を行い（ステップＳ３、ステップＳ４）、電圧値に対応するデジタルデータを取得する。つまり、ＤＳＰ２７は、１００μｓｅｃ毎にＡＤ変換を行い、電源電圧値を取得するのである。
【００９４】
このように電圧値に対応するデジタルデータ（電圧値という）を取得したＤＳＰ２７は、取得した電圧値を内蔵するメモリ４１（図４参照）に記憶する（ステップＳ５）。そして、このような電圧値を１００個記録したか否かを判別し（ステップＳ６）、１００個記録していない場合には当該割り込み処理を抜け（ステップＳ７）、その後次回の割り込みタイミングとなった場合に（ステップＳ２の判別「Ｙｅｓ」）、電源波形検出回路３０から供給される電圧をＡＤ変換して電圧値に対応するデジタルデータを取得し、これを記録するといった処理を行う（ステップＳ３〜Ｓ５）。このような電圧値の取得処理を１００回行って１００個の電圧値を取得してメモリ４１に記録させると（ステップＳ６の判別「Ｙｅｓ」）、つまり１００μｓｅｃ×１００個＝１０ｍｓｅｃ区間の電圧波形に対応するデータを取得すると、ＤＳＰ２７は図６に示す処理を行う。このように本実施形態においては、ＤＳＰ２７は主電源がオンにされた後という予め決められたタイミングで交流電源１１の電圧波形を取得する波形取得手段として機能している。
【００９５】
図６に示すように、１００個の電圧値に対応するデータを取得すると、つまり１０ｍｓｅｃ区間の電圧波形を取得すると、ＤＳＰ２７は、取得した電圧波形を構成する最終の電圧値、つまり１００個目の電圧値から現在の角度、つまり現在の電圧値が交流１周期（３６０度）の中のどの角度の電圧値であるかを求める（ステップＳ８）。
【００９６】
また、ＤＳＰ２７は、取得した電圧波形から当該電源電圧の周波数を算出するとともに、当該電圧波形の半周期Ａを算出し、これらをメモリ４１に記録した後（ステップＳ９）、図７に示す処理を行う。
【００９７】
図７に示すように、ＤＳＰ２７は、上記のように求めた現在の角度から、ゼロクロスポイントに到達するまでの時間を計算する（ステップＳ１０）。例えば、現在の角度が９０°であれば、次のゼロクロスポイントである１８０°までは、半周期Ａ×１／２で求めることができる。このようにＤＳＰ２７は、取得した電圧波形に基づいて、現時点から次のゼロクロスポイントに到達するのに要する時間（ゼロクロスポイントに関する情報）、ゼロクロスの周期（半周期Ａ）といったゼロクロスに関するゼロクロス情報を導出している。
【００９８】
なお、本実施形態では、定着ヒータ装置１３への電力供給制御として位相制御を用いるようにしているが、かかる位相制御による１回目の電力供給オンタイミングを上記のように導出したゼロクロスポイントの２００μｓｅｃ前の時点に設定している。
【００９９】
以上のように次のゼロクロスポイントに到達するまでに要する時間を算出すると、当該到達するまでに要する時間を、１００μｓｅｃタイマ割り込みの発生回数Ｘに換算する（ステップＳ１１）。例えば、算出したゼロクロスポイント到達に要する時間が１ｍｓｅｃであれば発生回数Ｘは１０回と換算される。
【０１００】
そして、ＤＳＰ２７は、１回目の定着ヒータ装置１３への電力供給を行うタイミングを求める。本実施形態では、上述したように１回目のオンタイミングはゼロクロスポイントから２００μｓｅｃ前の時点であり、ＤＳＰ２７はオンタイミングを決定するための変数ｓｏｆｔ＝２に設定して以下のようにして１回目のオンタイミングを求める。すなわち、ＤＳＰ２７は、現時点から何回目の１００μｓｅｃタイマ割り込みで、ゼロクロスポイントから（ｓｏｆｔ＝２）×１００＝２００μｓｅｃ前地点に到達するか否かを計算する。上記のようにゼロクロスポイントまで１０回と算出された場合には、ゼロクロスポイントから２００μｓｅｃ前までの回数としては、Ｘ（＝１０）−２＝８が算出される。ＤＳＰ２７は、このように求めたゼロクロスポイントから２００μｓｅｃ前の時点の割り込み処理において定着ヒータ装置１３への電力供給をオンとするための処理が行われるよう予約設定を行う（ステップＳ１２）。つまり、導出したオンタイミングまでの割り込み回数値を設定するのである。
【０１０１】
また、ＤＳＰ２７は、ゼロクロスポイントから１００μｓｅｃ前の時点の割り込み処理において定着ヒータ装置１３への電力供給をオフとするための処理が行われるよう予約設定を行う（ステップＳ１３）。なお、本実施形態においては、実際にオフされるタイミングはゼロクロスポイントであるが、ソフトウェアによるオフタイミングはゼロクロスポイントから１００μｓｅｃ前に設定されている。
【０１０２】
以上のような予約設定がなされることで、図１１に示すように、主電源投入後の１回目の定着ヒータ装置１３への電力供給をオンするタイミングは、ゼロクロスポイントの２００μｓｅｃ前〜１００μｓｅｃ前の１００μｓｅｃの区間となる。
【０１０３】
主電源がオンとされた場合に以上のような処理（図５〜図７参照）を経て予約設定を行った後、ＤＳＰ２７は定着ヒータ装置１３への電力供給のために以下に説明するような通常のルーチン処理を行う。すなわち、図８に示すようにＤＳＰ２７は、１００μｓｅｃタイマ割り込みが発生したか否かを判別し（ステップＳ１７）、１００μｓｅｃタイマ割り込みが発生するごとに、以下のような処理を行う。まず、上記のように予約したヒータオンタイミングおよびヒータオフタイミングまでのカウント値をデクリメントする処理を行う（ステップＳ１８）。
【０１０４】
そして、ＤＳＰ２７はデクリメント後のオンタイミングまでの割り込み回数であるカウント値が０となったか否か、つまり予約設定した電力供給のオンタイミングとなったか否かを判別する（ステップＳ１９）。
【０１０５】
ここで、オンタイミングとなった場合には（主電源スイッチをオンにした後の１回目のオンタイミングである場合にはゼロクロスポイントから２００μｓｅｃ前になった時には）、定着ヒータ装置１３への電力供給をオンとするための制御を行う（ステップＳ２０）。図９に示すように、電力供給をオンとするための制御では、ＤＳＰ２７はオン信号を生成し、これを定着ヒータ装置１３へ出力することで定着ヒータ装置１３への電力供給をオンとし（ステップＳ３１）、当該１００μｓｅｃタイマ割り込み処理を抜けて図８のステップＳ１７に戻る。
【０１０６】
一方、オンタイミングでない場合には（ステップＳ１９の判別「Ｎｏ」）、ＤＳＰ２７は、デクリメント後のオフタイミングまでの割り込み回数であるカウント値が０となったか否か、つまり予約設定したオフタイミングであるゼロクロスポイントから１００μｓｅｃ前のタイミングであるか否かを判別する（ステップＳ２１）。
【０１０７】
ここで、オフタイミングとなった場合には、ＤＳＰ２７は、定着ヒータ装置１３への電力供給をオフとするための制御および次回のオン／オフタイミングを設定するための制御を行う（ステップＳ２２）。
【０１０８】
図１０に示すように、ＤＳＰ２７は、定着ヒータ装置１３への電力供給オフ制御を行う前にｓｏｆｔに１をインクリメントし（ステップＳ４１）、インクリメント後の変数ｓｏｆｔの値と、次回のゼロクロスポイントから次々回のゼロクロスポイントに到達するまでの区間（半周期Ａ）に発生する１００μｓｅｃタイマ割り込みの回数Ｙとを比較し、変数ｓｏｆｔがＹよりも小さいか否かを判別する（ステップＳ４２）。
【０１０９】
上述したように変数ｓｏｆｔの値は、ゼロクロスポイントを基準として次の電力供給オンタイミングを決めるための値であり、ゼロクロスポイントよりもｓｏｆｔ×１００μｓｅｃ前のタイミングでオンとすべきことを意味している。したがって、変数ｓｏｆｔがＹよりも大きい場合（同じ場合も含む）には、次々回のゼロクロスポイントを基準として定められるオンすべきタイミングが次回のゼロクロスポイントよりも早いタイミング（または同時）となることを意味し、ｓｏｆｔがＹよりも小さい場合にはオンすべきタイミングが次回のゼロクロスポイントより後になることを意味する。
【０１１０】
したがって、変数ｓｏｆｔがＹよりも大きい場合、または同じである場合には（ステップＳ４２の判別「Ｎｏ」）、ＤＳＰ２７は１００μｓｅｃタイマ割り込みを禁止し（ステップＳ４３）、当該割り込み処理を抜ける。すなわち、定着ヒータ装置１３への電力供給をオフするための制御を実行せず、またこの後もタイマ割り込み処理（図８、図９の処理）が禁止されるので、定着ヒータ装置１３への電力供給オフ制御は実行されず、電力供給がオンにされた状態が維持される。
【０１１１】
一方、変数ｓｏｆｔがＹより小さい場合（ステップＳ４２の判別「Ｙｅｓ」）、現時点から次々回のゼロクロスポイントまでに要する時間のタイマ割り込み発生回数Ｘ（＝Ｙ＋１）からｓｏｆｔの値を減算した値をカウント値として設定し、かかるタイマカウント値がアップするタイミングで定着ヒータ装置１３への電力供給をオンとすることを予約設定する（ステップＳ４４）。
【０１１２】
さらに、ＤＳＰ２７は上記のように次回電力供給をオンすべきタイミングを設定すると、次回電力供給をオフすべきタイミングを設定する。具体的には、次々回のゼロクロスポイントまでに要する時間のタイマ割り込み発生回数Ｘから１を減算した値をカウント値として設定し、かかるタイマカウント値がアップするタイミングで電力供給をオフとする制御が行われるよう設定する（ステップＳ４５）。
【０１１３】
以上のように次回のオン／オフタイミングを設定した後、ＤＳＰ２７はオフ信号を生成して定着ヒータ装置１３へ出力することで定着ヒータ装置１３への電力供給をオフとし（ステップＳ４６）、当該１００μｓｅｃタイマ割り込み処理を抜けて図８のステップＳ１７に戻る。
【０１１４】
以上のように本実施形態では、図１２に模式的に示すように、ゼロクロス周期ごとに１００μｓｅｃずつゼロクロスポイントからのオンタイミングを早めるようにしている。つまり、１００μｓｅｃ単位で定着ヒータ装置１３に電力を供給する時間を増やす位相制御を行っているのである。同図において、斜線区間は電力供給をオンとしている区間を示し、電圧波形の半周期分の全区間がオンとなった状態がフル点灯状態である。
【０１１５】
なお、ＤＳＰ２７は、図８〜図１０に示す処理とは別にＤＳＰ２７は、定着ヒータ装置１３のサーミスタから供給される温度情報に基づく定着ヒータ装置１３への電力供給制御を行っており、サーミスタの出力値であるサーミスタ電圧のＡＤ変換値が予め定めた所定値に達した時、つまり、定着ヒータ装置１３が既定温度に達した時には電力供給が完全にオフとされる。
【０１１６】
また、定着ヒータ装置１３の温度が下がり過ぎた時点、すなわちサーミスタのＡＤ変換値があらかじめ定めている下限の閾値以下になったこと検知すれば、その時点での角度（電圧波形の位相角）を確認し、上記図７に示した処理（Ｓ１０〜Ｓ１３）と同様の処理を行って次に到来するゼロクロスポイントを基準としたヒータオン、オフタイミングの予約を行う。そして、１００μｓｅｃタイマ割り込みの発生を許可し、図８に示すステップＳ１７以降の処理を行う。すなわち、上述したのと同様の位相制御を行って定着ヒータ装置１３への電力供給のオン／オフを制御し、ヒータ３２をフル点灯状態（図１０のステップＳ４２の判別「Ｎｏ」）まで持っていく。なお、サーミスタの出力値が閾値以下となった時点での角度検出は、電源波形検出回路３０から供給される電圧値の変動を検出することで求めることができ、例えば少なくとも２回以上１００μｓｅタイマ割り込み処理において電圧値を取得して求めるようにすればよい。また、本実施形態は定着ヒータ装置１３が３つのヒータ３２を有しているが、これらの３つのヒータ３２に対して上記の位相制御が行われている。
【０１１７】
以上説明したように本実施形態では、主電源がオンとされた後の一定区間（１０ｍｓｅｃの間）に取得した電圧波形に基づいて導出したゼロクロスポイントやその周期などのゼロクロス情報を利用し、１００μｓｅｃ単位で定着ヒータ装置１３に電力を供給する時間を増やす位相制御を行っている。
【０１１８】
このような位相制御によって細かな、かつ確実なヒータのオン／オフ処理を実施することができる。また、上記のように一定区間に取得した電圧波形から取得したゼロクロスに関する情報を利用して位相制御を行っているので、上記一定期間の後に交流電源１１から供給される電力にノイズが含まれた場合や、電源周波数が５０Ｈｚ、あるいは６０Ｈｚ、または５１Ｈｚなどであっても、その影響を受けることなく、より正確なゼロクロスポイントを基準とした位相制御を行うことができる。したがって、当該画像形成装置が商用電源電圧にノイズが多く含まれる環境下で使用される場合であっても、ゼロクロスタイミングの誤検出に起因する制御不良等を抑制することができる。
【０１１９】
また、本実施形態では、上記のように予め決められたタイミングである主電源オンの後に取得したゼロクロス情報を利用した制御を行っているので、常時電圧波形からゼロクロスタイミングを検出してゼロクロス信号を生成する回路が不要となり、構成の簡略化を図ることができる。また、常時電圧波形をモニタリングして検出処理などを行う必要がないので、処理負荷が軽減される。本実施形態のように電源投入後といった位相制御が行われる前のタイミングにゼロクロス情報導出処理が行われるので、位相制御などと導出処理を平行して行う必要がなくなり、ピーク処理負荷を低減することができる。
【０１２０】
さらに、本実施形態では、上記のようにゼロクロスに関する情報を取得するＤＳＰ２７が取得した情報を利用して定着ヒータ装置１３への電力供給制御に利用しているので、ゼロクロス信号生成用の専用回路が不要となるに加えてゼロクロス情報を取得してＤＳＰ２７に出力するための構成等も不要となり、構成を簡略化することができる。
【０１２１】
Ｂ．変形例
なお、本発明は、上記の実施形態に限定されるものではなく、以下に例示するような種々の変形が可能である。
【０１２２】
（変形例１）
上述した実施形態では、主電源スイッチがオンされた後、一定区間の電圧波形を取得し、取得した電圧波形に基づいて導出したゼロクロスに関する情報を利用した制御を行うようになっていたが、主電源スイッチ７がオンにされた場合など予め決められたタイミングにおいて、一定区間（例えば１０ｍｓｅｃ区間）の電圧波形を複数回取得するようにし、複数回取得した電圧波形に基づいてゼロクロスに関する情報を導出するようにしてもよい。
【０１２３】
例えば、ＤＳＰ２７が、予め設定された回数だけ電圧波形を取得し、つまり図５のステップＳ１〜Ｓ６までの処理を設定回数だけ行い、１０ｍｓｅｃ区間の電圧波形に対応するデータを複数個取得する。一方、ユーザは当該画像形成装置に電力を供給する電源が５０Ｈｚであるか、６０Ｈｚであるかといった電源周波数情報を入力設定しておく。
【０１２４】
そして、ＤＳＰ２７が、上記のように複数回取得した電圧波形の中から、当該入力された電源周波数情報により近い周波数といった基準にしたがって１または複数を抽出し、抽出した電圧波形に基づいて半周期Ａやゼロクロスポイントなどのゼロクロス情報を求めるようにしてもよい。なお、複数の電圧波形を抽出した場合にはそのうちの周波数が一致するものがある電圧波形が多数のものを選択すればよい。
【０１２５】
このようにすることで、複数回取得した電圧波形の中から、ノイズなどの影響が少ない電圧波形を抽出してゼロクロス情報を導出するために利用することができ、より正確なゼロクロス情報を求めることができる。
【０１２６】
また、ＤＳＰ２７が、上記変形例１のように複数個の電圧波形を取得し、それらから得られる周波数がすべて一致する場合、もしくは予め決められた個数以上の電圧波形から得られる周波数が一致するといった基準を満たす場合に、一致した周波数を得た電圧波形に基づいてゼロクロス情報を導出するようにしてもよい。例えば、電圧波形を取得する処理を５回行い、得られた５つの電圧波形から取得される周波数がすべて一致するといった基準や、比較的多い回数、例えば１０回の電圧波形取得処理を行う場合には、得られた１０の電圧波形中９つの電圧波形から得られた周波数が一致するといった基準を設定することができる。このようにすることで、ノイズのある電圧波形が排除されるので、より正確にゼロクロス情報を導出することができる。
【０１２７】
（変形例２）
また、図１３に示すように、上記ＤＳＰ２７が、一定区間（１０ｍｓｅｃ区間など）の電圧波形を取得した後（ステップＳ１３１）、取得した電圧波形が予め決められた条件を満たすか否かを判別する（ステップＳ１３２）。そして、予め決められた条件を満たす場合には、当該電圧波形に基づいて上記実施形態のようにゼロクロス情報を導出するようにしてもよい（ステップＳ１３３）。
【０１２８】
一方、条件を満たさない場合にはステップＳ１３１に戻り、再度一定区間の電圧波形を取得し、この波形が条件を満たすか否かを判別し（ステップＳ１３２）、条件を満たした場合には条件を満たした電圧波形に基づいてゼロクロス情報を導出するようにしてもよい。なお、予め決められた回数の電圧波形の取得処理を行っても条件を満たさない場合には、その旨を操作部３の表示パネルに表示させる等して処理を中断するようにしてもよい。
【０１２９】
ここで予め決められた条件としては、例えば一般的な商用電源が５０Ｈｚまたは６０Ｈｚであることから、取得された電圧波形から得られる周波数が４５Ｈｚ〜６４Ｈｚの範囲内であることに設定することができる。また、ユーザによって入力された電源周波数情報が５０Ｈｚである場合には、取得した電圧波形の周波数が当該入力周波数５０Ｈｚ±４Ｈｚの範囲内に収まるといった条件を設定することができる。このようにすることで、ノイズなどによって明らかに異常な電圧波形に基づいて誤ったゼロクロス情報を導出してしまうといったおそれを低減することができ、より正確にゼロクロス情報を導出することができる。
【０１３０】
また、上記変形例１で説明したように、複数個の電圧波形の周波数がすべて一致または多数が一致するといった基準を満たす電圧波形を抽出する場合において、取得した電圧波形が上記基準を満たさない場合には、再度複数個の電圧波形を取得し、その周波数のすべてまたは多数が一致するか否かを判別する。そして、一致した場合には一致した周波数の電圧波形を用いてゼロクロス情報を求めるようにしてもよい。
【０１３１】
（変形例３）
また、ＤＳＰ２７が取得した電圧波形にノイズが含まれている場合にはそのノイズ部分を特定し、取得した電圧波形から特定したノイズ部分を抜いた部分に基づいてゼロクロス情報を導出するようにしてもよい。
【０１３２】
例えば、ＤＳＰ２７が取得した１００個の電圧値に対応するデータを参照し、当該データに示される単位時間あたりの電圧変動値が所定のしきい値以上である場合にはその部分がノイズであると特定する。すなわち、ノイズがなく正常に電圧が変動した場合における単位時間（この例では１００μｓｅｃ）あたりの電圧変動値よりも、実際に取得した単位時間あたりの電圧変動値が明らかに大きい場合などにはその部分をノイズであると特定するのである。ここで、正常な交流電源の単位時間あたりの電圧変動値はその位相角によって異なるので上記のしきい値は位相角ごとに設定しておけばよく、それぞれの位相角における実測値としきい値とを比較するようにすればよい。
【０１３３】
このようにすることで取得した電圧波形にノイズが含まれている場合であっても、そのノイズ部分を除いた部分を用いてゼロクロス情報を導出することができるので、ノイズが含まれることに起因するゼロクロス情報の誤検出を抑制することができる。
【０１３４】
なお、上記変形例１で説明したように複数の電圧波形を取得し、各々の電圧波形について上記のようなノイズ除去処理を行い、ノイズ除去後の複数の電圧波形に基づいてゼロクロス情報を求めるようにしてもよい。例えば、ノイズ除去後の複数の電圧波形の周波数がすべて一致する、または多数が一致する場合には一致した周波数の電圧波形を用いてゼロクロス情報を導出するようにしてもよい。
【０１３５】
（変形例４）
また、ＤＳＰ２７が、予めメモリに記憶している複数の周波数の電源電圧波形データと、取得した電圧波形とを比較し、取得した電圧波形に最も近い電圧波形データを選択してゼロクロス情報の導出に用いるようにしてもよい。すなわち、当該選択したデータの電圧波形の周波数に基づいてゼロクロス周期（当該電圧波形の半周期に相当）を求める。また、取得した電圧値が予め決められた範囲内にある領域をゼロクロス領域とし、これらの領域の中からその前後の電圧値等を参照しながらゼロクロスポイントを導出するといったようにゼロクロス周期およびゼロクロスポイントを導出するようにしてもよい。
【０１３６】
（変形例５）
また、ＤＳＰ２７がゼロクロス情報を導出する際に、前回のゼロクロス情報導出タイミングにおいて用いた電圧波形に関する情報（例えば、周波数などの情報）を利用するようにしてもよい。より具体的には、主電源がオンにされたといった予め決められたタイミングとなった場合に上記実施形態および変形例と同様に電圧波形を取得してゼロクロス情報を求めた後、ＤＳＰ２７が当該ゼロクロス情報の導出に用いた電圧波形に関する情報を取得してこれを不揮発性のメモリ（前回情報記憶手段）４１に記憶しておく。なお、前々回のゼロクロス導出時に用いた電圧波形に関する情報が記録されている場合には、前回の電圧波形に関する情報を上書きすればよい。
【０１３７】
そして、次回のゼロクロス導出タイミング（次に主電源がオンされた時など）において、ＤＳＰ２７がメモリ４１に記憶されている電圧波形に関する情報と、当該タイミングにおいて取得した電圧波形とに基づいてゼロクロス情報を導出するようにしてもよい。
【０１３８】
例えば、取得した電圧波形の周波数と、前回の電圧波形の周波数とが一致する場合には当該取得した電圧波形に基づいてゼロクロス情報を導出する一方で、前回の電圧波形の周波数と一致しない場合には、再度電圧波形を取得する。このように前回の電圧波形の周波数と一致する周波数の電圧波形が取得された場合にその電圧波形を利用してゼロクロス情報を導出するようにしてもよい。
【０１３９】
このように前回のゼロクロス情報導出に用いた電圧波形に関する情報と、今回のゼロクロス情報導出のために取得した電圧波形を比較参照することで、今回の電圧波形が正常であるか否かの判別を行うことができる。
【０１４０】
また、変形例１で説明したように複数個の電圧波形を取得する場合には、次のようにしてゼロクロス情報の導出に利用する電圧波形を選択するようにしてもよい。すなわち、取得したすべての電圧波形、またはその中の多数の電圧波形の周波数と、前回の電圧波形の周波数が一致したときに、取得した電圧波形の中から一致した周波数の電圧波形を抽出し、これを利用してゼロクロス情報を導出するようにしてもよい。この場合、取得した電圧波形が正常なものであるか否かを判別する際に前回の電圧波形に関する情報を参照することで、今回取得する電圧波形の個数を少なくしても判別の正確さを維持することができ、処理負担を軽減することができる。
【０１４１】
（変形例６）
また、上述した実施形態または変形例では、ＤＳＰ２７が主電源スイッチ７がオンとされた後のタイミングにおいて、一定区間における電圧波形を１または複数取得し、取得した電圧波形に基づいてゼロクロス情報を導出するようにしていた。ゼロクロス情報導出のために電圧波形を取得する処理を行うタイミングは、主電源スイッチ７がオンとされた後に限らず、他のタイミング、例えば１時間ごとなどの定期的なタイミングで電圧波形を取得してゼロクロス情報を求め、それ以降は過去に求めたゼロクロス情報に代えて新しく求めたゼロクロス情報を利用して位相制御などを行うようにしてもよい。
【０１４２】
また、ＤＳＰ２７が実行するよう決められている制御の開始前のタイミング、上記実施形態では定着ヒータ装置１３への電力供給のための位相制御を行う前のタイミングとなった場合に、ＤＳＰ２７が上記実施形態や変形例と同様に電圧波形を取得しゼロクロス情報を導出し、その後導出したゼロクロス情報を利用して位相制御を行うようにしてもよい。
【０１４３】
一般的な画像形成装置において、定着ヒータ装置１３への電力供給のための位相制御がなされるのは、定着ヒータの温度が低い場合に突入電流が大きくなることを抑制するためであり、複写動作などが実行されている際には定着ヒータ装置の温度が高いため位相制御が不要な場合もある。すなわち、画像形成装置において、上記のような位相制御は定着ヒータ装置を駆動するときに常に行われるわけではなく、待機モード時などにおいて３０秒〜１分程度の間隔で行われるのが一般的である。また、このように位相制御が行われる場合であっても、実際に位相制御が行われるのは１秒間程度であり、３０秒〜１分間といった時間間隔ごとに１秒間だけ行われているのが通常である。
【０１４４】
したがって、本変形例のように位相制御を行う前のタイミングにおいて、その位相制御を行うために利用するゼロクロス情報を求めるために電圧波形を取得するといった処理を行うようにすれば、位相制御が行われてない間（ほとんどの時間）にゼロクロスポイントを把握するためのタイマー（ゼロクロス周期をカウントするタイマ）を常時作動させる必要がなくなり、処理負荷を低減させることができる。また、複写動作時などには位相制御が行われないことから、複写動作時などに当該タイマを他の用途に利用することができ、システムリソースの有効活用を図ることができる。
【０１４５】
（変形例７）
また、上述した実施形態では、交流電源１１から供給される電圧波形を取得してゼロクロス情報を求め、当該ゼロクロス情報を利用して定着ヒータ装置１３への電力供給を制御する画像形成装置に本発明を適用した場合について説明したが、本発明はこれに限定されるものではなく、画像形成装置において導出したゼロクロス情報を他の制御に利用するようにしてもよい。また、画像形成装置以外の交流電源１１からの電力供給を受ける電気機器において、当該電気機器に搭載される制御部（ＤＳＰやＣＰＵなど）が、交流電源１１の電圧波形を取得し、取得した電圧波形に基づいてゼロクロスポイントや周期などのゼロクロス情報を求めるようにし、このゼロクロス情報を利用して当該電気機器における負荷回路への電力供給制御などの制御を行うようにしてもよい。
【０１４６】
もちろん、上記ＤＳＰ２７のように電圧波形を取得してゼロクロス情報を求め、求めたゼロクロス情報を利用して電力供給などの制御を行う制御装置を画像形成装置などの機器に実装した状態で流通させるようにしてもよいが、上記と同様のゼロクロス情報導出方法によるゼロクロス情報を検出する装置のみを販売等してユーザや製造業者等に提供するようにしてもよい。
【０１４７】
（変形例８）
また、上述した実施形態および変形例では、ＤＳＰ２７が電圧波形を取得してゼロクロス情報を求める導出手段としての処理（図５〜図１０参照など）を実行するようにしていたが、このような処理をコンピュータに実行させるためのプログラムをインターネット、電話網、無線通信網等の通信手段を介してユーザや製造業者等に提供するようにしてもよいし、当該プログラムをＣＤ−ＲＯＭ（Ｃｏｍｐａｃｔ　Ｄｉｓｃ−Ｒｅａｄ　Ｏｎｌｙ　Ｍｅｍｏｒｙ）などのコンピュータ読み取り可能な記録媒体に記録してユーザや製造業者等に提供するようにしてもよい。
【０１４８】
【発明の効果】
以上説明したように、請求項１にかかる発明によれば、ゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できるという効果を奏する。
【０１４９】
また、請求項２にかかる発明によれば、取得した電圧波形の中にノイズが多く含まれるものがあった場合にも、そのノイズに起因して誤ったゼロクロス情報が導出されてしまうことを低減することができるという効果を奏する。
【０１５０】
また、請求項３にかかる発明によれば、取得した電圧波形の中にノイズが多く含まれるものがあった場合にも、その電圧波形が抽出されてしまうことを抑制でき、そのノイズに起因して誤ったゼロクロス情報が導出されてしまうことを低減することができるという効果を奏する。
【０１５１】
また、請求項４にかかる発明によれば、取得した電圧波形の中にノイズが多く含まれるものがあった場合にも、そのノイズを含む電圧波形が抽出されることを抑制することができ、誤ったゼロクロス情報が導出されてしまうことを低減することができるという効果を奏する。
【０１５２】
また、請求項５にかかる発明によれば、商用電源周波数が分かっている場合などにはその情報を条件として入力することで、かかる入力条件と全く異なる電圧波形、つまりノイズが含まれている可能性が高い電圧波形などがゼロクロス情報導出のために用いられることを低減することができ、誤ったゼロクロス情報が導出されることを低減できるという効果を奏する。
【０１５３】
また、請求項６にかかる発明によれば、ゼロクロス情報の導出に適さないノイズが多く含まれているものを条件を満たさないものとすれば、このような電圧波形に基づいてゼロクロス情報が導出されることを低減することができ、誤ったゼロクロス情報が導出されてしまうことを低減できるという効果を奏する。
【０１５４】
また、請求項７にかかる発明によれば、取得した電圧波形の中にノイズが含まれている場合であっても、そのノイズに起因して誤ったゼロクロス情報が導出されてしまうことを低減することができるという効果を奏する。
【０１５５】
また、請求項８にかかる発明によれば、取得した電圧波形の中にノイズが含まれている場合であっても、そのノイズに起因して誤ったゼロクロス情報が導出されてしまうことを低減することができるという効果を奏する。
【０１５６】
また、請求項９にかかる発明によれば、誤ったゼロクロス情報が導出されてしまうことを低減できるという効果を奏する。
【０１５７】
また、請求項１０にかかる発明によれば、構成や処理を簡易化することができるという効果を奏する。
【０１５８】
また、請求項１１にかかる発明によれば、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できるという効果を奏する。
【０１５９】
また、請求項１２にかかる発明によれば、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できるという効果を奏する。
【０１６０】
また、請求項１３にかかる発明によれば、取得した電圧波形の中にノイズが多く含まれるものがあった場合にも、そのノイズに起因して誤ったゼロクロス情報が導出されてしまうことを低減することができるという効果を奏する。
【０１６１】
また、請求項１４にかかる発明によれば、取得した電圧波形の中にノイズが多く含まれるものがあった場合にも、その電圧波形が抽出されることを抑制でき、そのノイズに起因して誤ったゼロクロス情報が導出されてしまうことを低減することができるという効果を奏する。
【０１６２】
また、請求項１５にかかる発明によれば、取得した電圧波形の中にノイズが多く含まれるものがあった場合にも、そのノイズを含む電圧波形が抽出されることを抑制することができ、誤ったゼロクロス情報が導出されてしまうことを低減することができるという効果を奏する。
【０１６３】
また、請求項１６にかかる発明によれば、当該画像形成装置に電力を供給する商用電源の周波数が分かっている場合などにはその情報を条件として入力することで、かかる入力条件と全く異なる電圧波形、つまりノイズが含まれている可能性が高い電圧波形などがゼロクロス情報導出のために用いられることを低減することができ、誤ったゼロクロス情報が導出されることを低減できるという効果を奏する。
【０１６４】
また、請求項１７にかかる発明によれば、ゼロクロス情報の導出に適さないノイズが多く含まれているものを条件を満たさないものとすれば、このような電圧波形に基づいてゼロクロス情報が導出されることを低減することができ、誤ったゼロクロス情報が導出されてしまうことを低減できるという効果を奏する。
【０１６５】
また、請求項１８にかかる発明によれば、取得した電圧波形の中にノイズが含まれている場合であっても、そのノイズに起因して誤ったゼロクロス情報が導出されてしまうことを低減することができるという効果を奏する。
【０１６６】
また、請求項１９にかかる発明によれば、取得した電圧波形の中にノイズが含まれている場合であっても、そのノイズに起因して誤ったゼロクロス情報が導出されてしまうことを低減することができるという効果を奏する。
【０１６７】
また、請求項２０にかかる発明によれば、誤ったゼロクロス情報が導出されてしまうことを低減できるという効果を奏する。
【０１６８】
また、請求項２１にかかる発明によれば、ゼロクロス情報を利用した制御が行われていない間は、以前に導出したゼロクロス情報を次のゼロクロス情報を利用した制御で用いるためにタイマカウント等を行う必要がなくなり、構成や処理を簡易化することができるという効果を奏する。
【０１６９】
また、請求項２２にかかる発明によれば、ゼロクロスポイントなどのゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できるという効果を奏する。
【０１７０】
また、請求項２３にかかる発明によれば、上記のように導出したゼロクロス情報を利用して定着部への電力供給のオン／オフ制御を行っているので、より確実かつ細やかな制御が可能となるという効果を奏する。
【０１７１】
また、請求項２４にかかる発明によれば、上記のように導出したゼロクロス情報を利用して定着部への電力供給を位相制御によりオン／オフしているので、より確実かつ細やかな制御が可能となるという効果を奏する。
【０１７２】
また、請求項２５にかかる発明によれば、ゼロクロス情報を得るために常時交流電源の電圧変動を監視する必要がなく、処理負荷を低減させることができるとともに、ゼロクロス情報取得後に交流電源にノイズなどが生じた場合にもゼロクロスポイントが誤検出されてしまうことを低減できるという効果を奏する。
【０１７３】
また、請求項２６にかかる発明によれば、コンピュータを請求項１にかかる発明と同様の構成を有する装置として機能させることができ、処理負荷を低減させることができるとともに、ゼロクロス情報取得後に交流電源にノイズなどが生じた場合にもゼロクロスポイントが誤検出されてしまうことを低減できるという効果を奏する。
【図面の簡単な説明】
【図１】本発明の一実施形態にかかる画像形成装置の外観を示す図である。
【図２】前記画像形成装置の概略構成を示す図である。
【図３】前記画像形成装置における定着ヒータ装置へ電力を供給するための構成を示す図である。
【図４】前記画像形成装置における定着ヒータ装置の構成を示す図である。
【図５】主電源スイッチがオンとされた場合に当該画像形成装置において行われる電力供給制御動作を示すフローチャートである。
【図６】主電源スイッチがオンとされた場合に当該画像形成装置において行われる電力供給制御動作を示すフローチャートである。
【図７】主電源スイッチがオンとされた場合に当該画像形成装置において行われる電力供給制御動作を示すフローチャートである。
【図８】前記画像形成装置において行われる電力供給のための位相制御動作を示すフローチャートである。
【図９】前記画像形成装置において行われる電力供給のための位相制御動作を示すフローチャートである。
【図１０】前記画像形成装置において行われる電力供給のための位相制御動作を示すフローチャートである。
【図１１】前記位相制御動作による電力供給のオン／オフタイミングを説明するための図である。
【図１２】前記位相制御動作による電力供給のオン／オフタイミングを説明するための図である。
【図１３】前記画像形成装置の変形例において行われる位相制御に用いるゼロクロス情報の導出処理の手順を示すフローチャートである。
【図１４】ゼロクロス信号が誤検出されるケースについて説明するための図である。
【符号の説明】
１　コンタクトガラス
２　自動原稿供給装置
３　操作部
６　転写部
７　主電源スイッチ
１０　本体部
１１　交流電源
１２　スイッチング電源
１３　定着ヒータ装置
２１　フィルタ
２２　整流平滑回路
２７　ＤＳＰ
２８　スイッチ
２９　バッテリー
３０　電源波形検出回路
３１　ヒータ部
３２　ヒータ
３３　制御部
３４　トライアック
３５　フォトカプラ
４１　メモリ
１０６　転写部
１１１　定着部
１１２　定着ローラ
１１３　加圧ローラ
【図１】
2004078154.tif 000003
【図２】
2004078154.tif 000004
【図３】
2004078154.tif 000005
【図４】
2004078154.tif 000006
【図５】
2004078154.tif 000007
【図６】
2004078154.tif 000008
【図７】
2004078154.tif 000009
【図８】
2004078154.tif 000010
【図９】
2004078154.tif 000011
【図１０】
2004078154.tif 000012
【図１１】
2004078154.tif 000013
【図１２】
2004078154.tif 000014
【図１３】
2004078154.tif 000015
【図１４】
2004078154.tif 000016